(57)【要約】【課題】異なる２種類の送風面積の送風ができる送風装置を得ることができる。【解決手段】送風装置１は、吸込口７を設けた略箱形状の筐体２と、筐体２の天面から延びた第１のノズル３と第２のノズル４と、筐体２内に設けた高圧空気発生部５とを備えている。第１のノズル３は、第１の外側吹出口１１と第１の内側吹出口１２とを有し、第２のノズル４は、第２の外側吹出口１４と第２の内側吹出口１５とを有している。第１の内側吹出口１２と第２の内側吹出口１５の開口面積は、第１の外側吹出口１１と第２の外側吹出口１４の開口面積より小さく、高圧空気発生部５によって第１の外側風路２６と第２の外側風路２８に送風される場合と、高圧空気発生部５によって第１の内側風路２７と第２の内側風路２９に送風される場合とに切り替える切替ダンパー部６を有することを特徴とする送風装置。【選択図】図１
2020045830.tif 000002
【特許請求の範囲】
【請求項１】
吸込口を設けた略箱形状の筐体と、
前記筐体内に設けた高圧空気発生部と、
前記筐体から延び、所定の面上の第１方向における一方側に配置された第１のノズルと、
前記筐体から延び、前記第１方向における他方側に配置された第２のノズルと、
前記第１のノズルにおいて前記所定の面上の前記第１方向に直交する第２方向における一方側であり、前記第１方向における一方側に設けられた第１の外側吹出口と、
前記第１のノズルにおいて前記第２方向における一方側であり、前記第１方向における他方側に設けられた第１の内側吹出口と、
前記第２のノズルの前記第２方向における一方側であり、前記第１方向における他方側に設けられた第２の外側吹出口と、
前記第２のノズルの前記第２方向における一方側であり、前記第１方向における一方側に設けられた第２の内側吹出口と、
前記高圧空気発生部によって、前記吸込口から吸い込まれた空気が、前記第１のノズル内から前記第１の外側吹出口へ送風される第１の外側風路と、
前記高圧空気発生部によって、前記吸込口から吸い込まれた空気が、前記第２のノズル内から前記第２の外側吹出口へ送風される第２の外側風路と、
前記高圧空気発生部によって、前記吸込口から吸い込まれた空気が、前記第１のノズル内から前記第１の内側吹出口へ送風される第１の内側風路と、
前記高圧空気発生部によって、前記吸込口から吸い込まれた空気が、前記第２のノズル内から前記第２の内側吹出口へ送風される第２の内側風路とを備え、
前記第１の内側吹出口の開口面積は、前記第１の外側吹出口の開口面積より小さく、
前記第２の内側吹出口の開口面積は、前記第２の外側吹出口の開口面積より小さく、
前記高圧空気発生部によって前記第１の外側風路と前記第２の外側風路に送風される場合と、前記高圧空気発生部によって前記第１の内側風路と前記第２の内側風路に送風される場合とに切り替える切替ダンパー部を有することを特徴とする送風装置。
【請求項２】
前記切替ダンパー部は、
前記第１のノズル内に回動自在に設けた第１のダンパーと、
前記第２のノズル内に回動自在に設けた第２のダンパーと、
前記第１のダンパーと前記第２のダンパーとを回転させるギア部分と、
前記ギア部分を操作する操作部分とを有し、
前記第１のダンパーは、前記第１のノズル内の空間を区切り、前記第１の外側吹出口または前記第１の内側吹出口へ空気を案内する風路の一部となり、
前記第２のダンパーは、前記第２のノズル内の空間を区切り、前記第２の外側吹出口または前記第２の内側吹出口へ空気を案内する風路の一部となることを特徴とする請求項１に記載の送風装置。
【請求項３】
前記第１のノズル内における前記第１の外側風路内および前記第１の内側風路内に第１のバネを設け、
前記第２のノズル内における前記第２の外側風路内および前記第２の内側風路内に第２のバネを設け、
前記第１のバネは、前記第１のダンパーを前記第１のノズルの内面に押し付け、
前記第２のバネは、前記第２のダンパーを前記第２のノズルの内面に押し付けることを特徴とする請求項２に記載の送風装置。
【請求項４】
前記第１のバネと前記第２のバネとは、板ばねであり、
前記第１のバネが、前記第１のダンパーを前記第１のノズルの内面に押し付ける場合に、前記第１のバネが、撓んだ状態となり、
前記第２のバネが、前記第２のダンパーを前記第２のノズルの内面に押し付ける場合に、前記第２のバネが、撓んだ状態となることを特徴とする請求項３に記載の送風装置。
【請求項５】
前記第１のバネと前記第２のバネとは、細長い平板形状の平板部分を有し、
前記平板部分の面は、上下方向に延びるように配置されたことを特徴とする請求項３または４に記載の送風装置。
【請求項６】
前記第１のダンパーは、
縦長板形状の第１の遮断板と、
前記第１の遮断板における短手方向における一方側に前記遮断板における長手方向に延びる第１の軸と、
前記第１の遮断板における短手方向における他方側に前記第１のバネの一方側の端部を支持する第１のバネ支持シャフトとを有し、
前記第１のバネの他方側の端部は、前記第１のノズル内における前記第１の外側風路内および前記第１の内側風路内に固定され、
前記第１の軸は、前記第１のノズル内における前記第１の外側風路内および前記第１の内側風路内の第１の軸受けに回動自在に支持され、
前記第２のダンパーは、
縦長板形状の第２の遮断板と、
前記第２の遮断板における短手方向における一方側に前記遮断板における長手方向に延びる第２の軸と、
前記第２の遮断板における短手方向における他方側に前記第２のバネの一方側の端部を支持する第２のバネ支持シャフトとを有し、
前記第２のバネの他方側の端部は、前記第２のノズル内における前記第２の外側風路内および前記第２の内側風路内に固定され、
前記第２の軸は、前記第２のノズル内における前記第２の外側風路内および前記第２の内側風路内の第２の軸受けに回動自在に支持されることを特徴とする請求項２から５のいずれかに記載の送風装置。
【請求項７】
前記第１のノズル内における前記第１の外側吹出口と前記第１の内側吹出口との間には、前記第１の外側吹出口へ空気を案内する第１の外側曲面を有し、
前記第２のノズル内における前記第２の外側吹出口と前記第２の内側吹出口との間には、前記第２の外側吹出口へ空気を案内する第２の外側曲面を有し、
前記高圧空気発生部によって前記第１の外側風路と前記第２の外側風路に送風される場合には、前記第１の遮断板は、前記第１のノズルの内面と前記第１の外側曲面とを繋ぐように配置され、前記第２の遮断板は、前記第２のノズルの内面と前記第２の外側曲面とを繋ぐように配置されることを特徴とする請求項６に記載の送風装置。
【請求項８】
前記第１のノズル内における前記第１の外側吹出口と前記第１の内側吹出口との間には、第１の突起部を備え、
前記第１のダンパーの前記第１の軸には、
前記高圧空気発生部によって前記第１の外側風路に送風される場合と、前記高圧空気発生部によって前記第１の内側風路に送風される場合に、前記第１の軸と前記第１の突起部との隙間を小さくする第１の補助遮断板を設けたことを特徴とする請求項６または７のいずれかに記載の送風装置。
【請求項９】
前記第２のノズル内における前記第２の外側吹出口と前記第２の内側吹出口との間には、第２の突起部を備え、
前記第２のダンパーの前記第２の軸には、
前記高圧空気発生部によって前記第２の外側風路に送風される場合と、前記高圧空気発生部によって前記第２の内側風路に送風される場合に、前記第２の軸と前記第２の突起部との隙間を小さくする第２の補助遮断板を設けたことを特徴とする請求項６から８のいずれかに記載の送風装置。
【請求項１０】
前記第１の外側吹出口と前記第２の外側吹出口と前記第１の内側吹出口と前記第２の内側吹出口とは、上下方向に長い細長い形状であり、
前記第１の外側吹出口と前記第２の外側吹出口の上下方向の長さは、
前記第１の内側吹出口と前記第２の内側吹出口の上下方向の長さより長いことを特徴とする請求項１から９のいずれかに記載の送風装置。
【請求項１１】
前記第１の内側吹出口と前記第２の内側吹出口の下端は、
前記第１の外側吹出口と前記第２の外側吹出口の下端より上方に配置されたことを特徴とする請求項１０に記載の送風装置。
【請求項１２】
前記第１のノズルと前記第２のノズルの上部において、
前記第１の外側風路と前記第２の外側風路とを連通し、前記第１の内側風路と前記第２の内側風路とを連通する連通路を設けたことを特徴とする請求項１から１１のいずれかに記載の送風装置。
【請求項１３】
送風方向に垂直な面における前記連通路の面積は、
送風方向に垂直な面における前記第１のノズルにおける前記第１の外側風路、前記第１の内側風路と面積、および前記第２のノズルにおける前記第２の外側風路、前記第２の内側風路の面積より小さいことを特徴とする請求項１２に記載の送風装置。
【発明の詳細な説明】
【技術分野】
【０００１】
本発明は、送風装置に関するものである。
【背景技術】
【０００２】
従来、この種の送風装置においては、吸込口を設けた略箱形状の筐体と、筐体の天面から延び、第１の吹出口を有する第１のノズルと、筐体の天面から延び、第２の吹出口を有する第２のノズルと、筐体内に設けた高圧空気発生部とを有していた。高圧空気発生部は、スクロール形状のケーシングと、ケーシングに固定されたモータと、モータによって回転する羽根車とを有していた。ケーシングは、側面に給気口を有し、天面には吐出口を有し、給気口は、筐体の背面に対向していた。高圧空気発生部によって、吸込口から吸い込まれた空気は、第１のノズル内を介して、第１の吹出口と、第２のノズル内を介して、第２の吹出口とへ送風される構成であった。
【先行技術文献】
【特許文献】
【０００３】
【特許文献１】特開２０１３−１５１１４号公報
【発明の概要】
【発明が解決しようとする課題】
【０００４】
このような従来の送風装置においては、第１の吹出口と第２の吹出口とから同時に送風されるので、送風面積を変化させることができなかった。
【０００５】
そこで本発明は、上記従来の課題を解決するものであり、送風面積を変化できる送風装置を提供することを目的とする。
【課題を解決するための手段】
【０００６】
そして、この目的を達成するために、本発明の一態様に係る送風装置は、吸込口を設けた略箱形状の筐体と、前記筐体内に設けた高圧空気発生部と、前記筐体から延び、所定の面上の第１方向における一方側に配置された第１のノズルと、前記筐体から延び、前記第１方向における他方側に配置された第２のノズルと、前記第１のノズルにおいて前記所定の面上の前記第１方向に直交する第２方向における一方側であり、前記第１方向における一方側に設けられた第１の外側吹出口と、前記第１のノズルにおいて前記第２方向における一方側であり、前記第１方向における他方側に設けられた第１の内側吹出口と、前記第２のノズルの前記第２方向における一方側であり、前記第１方向における他方側に設けられた第２の外側吹出口と、前記第２のノズルの前記第２方向における一方側であり、前記第１方向における一方側に設けられた第２の内側吹出口と、前記高圧空気発生部によって、前記吸込口から吸い込まれた空気が、前記第１のノズル内から前記第１の外側吹出口へ送風される第１の外側風路と、前記高圧空気発生部によって、前記吸込口から吸い込まれた空気が、前記第２のノズル内から前記第２の外側吹出口へ送風される第２の外側風路と、前記高圧空気発生部によって、前記吸込口から吸い込まれた空気が、前記第１のノズル内から前記第１の内側吹出口へ送風される第１の内側風路と、前記高圧空気発生部によって、前記吸込口から吸い込まれた空気が、前記第２のノズル内から前記第２の内側吹出口へ送風される第２の内側風路とを備え、前記第１の内側吹出口の開口面積は、前記第１の外側吹出口の開口面積より小さく、前記第２の内側吹出口の開口面積は、前記第２の外側吹出口の開口面積より小さく、前記高圧空気発生部によって前記第１の外側風路と前記第２の外側風路に送風される場合と、前記高圧空気発生部によって前記第１の内側風路と前記第２の内側風路に送風される場合とに切り替える切替ダンパー部を有することを特徴としたものであり、これにより所期の目的を達成するものである。
【発明の効果】
【０００７】
本発明によれば、異なる２種類の送風面積の送風ができる送風装置を得ることができる。
【図面の簡単な説明】
【０００８】
【図１】本発明の実施の形態１の送風装置の前面側から見た斜視図
【図２】同送風装置の背面側から見た斜視図
【図３】同送風装置の筐体の断面図
【図４】同送風装置の断面図
【図５】同送風装置の断面図
【図６】同送風装置の上部の分解図
【図７】同送風装置の連結部の分解図
【図８】同送風装置の連結部の分解図
【図９】同送風装置の連結部を背面側から見た斜視図
【図１０】同送風装置の上部の断面図
【図１１】同送風装置の上部の断面図
【発明を実施するための形態】
【０００９】
以下、本発明の実施の形態について図面を参照しながら説明する。
【００１０】
（実施の形態１）
図１は、送風装置の斜視図であり、送風装置の前面側から見た図である。図２は、送風装置の斜視図であり、送風装置の背面側から見た図である。図３は、送風装置の筐体の断面図であり、送風装置の側面側から見た図である。図４は、送風装置の断面図であり、送風装置の前面側から見た図である。
【００１１】
図１、図２、図３、図４に示すように、送風装置１は、筐体２と、第１のノズル３と、第２のノズル４と、高圧空気発生部５と、切替ダンパー部６とを備えている。
【００１２】
筐体２は、略箱状であり、第２方向（筐体２の前後方向）における他方側（後面側）に、四角形状の吸込口７を有している。筐体２の天面からは、筒形状の第１のノズル３と第２のノズル４が上方へ延びている。第１のノズル３は、第１方向（筐体の左右方向）における一方側（図１では、筐体における前面側から見て左側）に配置され、第２のノズル４は、第１方向（筐体の左右方向）における他方側（図１では、筐体における前面側から見て右側）に配置されている。なお、第１方向と第２方向とは直交している。第１のノズル３と第２のノズル４との間には、所定の距離を有している。第１のノズル３の上端部と、第２のノズル４の上端部は、連結部８によって、連結されている。送風装置１は、連結部８と、第１のノズル３と、第２のノズル４と、筐体とに囲まれた空洞である貫通路９を有している。なお、筐体２と、第１のノズル３と、第２のノズル４と、連結部８とは、一体で形成している。筐体２内の空間は、第１のノズル３内の空間と第２のノズル４内の空間とに連通している。
【００１３】
第１のノズル３は、第２方向（筐体２の前後方向）における一方側（筐体の前面側）に、第１の吹出口１０を有している。第１のノズル３の前面と、筐体２の前面とは、同一面に配置されている。
【００１４】
第１の吹出口１０は、第１の外側吹出口１１と第１の内側吹出口１２とを備えている。第１の外側吹出口１１は、縦長四角形状であり、第１のノズル３の第１方向（筐体の左右方向）における一方側（図１では筐体における前面側から見て左側）に配置されている。第１の内側吹出口１２は、縦長四角形状であり、第１のノズル３の第１方向（筐体の左右方向）における他方側（図１では筐体における前面側から見て右側）に配置されている。
【００１５】
第２のノズル４は、第２方向（筐体２の前後方向）における一方側（筐体の前面側）に、第２の吹出口１３を有している。第２のノズル４の前面と、筐体の前面とは、同一面に配置されている。
【００１６】
第２の吹出口１３は、第２の外側吹出口１４と第２の内側吹出口１５とを備えている。第２の外側吹出口１４は、縦長四角形状であり、第２のノズル４の第１方向（筐体の左右方向）のおける他方側（図１では筐体における前面側から見て右側）に配置されている。第２の内側吹出口１５は、縦長四角形状であり、第２のノズル４の第１方向（筐体２の左右方向）のおける一方側（図１では筐体２における前面側から見て左側）に配置されている。
【００１７】
図５は、送風装置の断面図であり、送風装置の前面側から見た図である。
【００１８】
図３、図４、図５に示すように、高圧空気発生部５であるシロッコファンは、ケーシング１６と、モータ１７と、羽根車１８とを備えている。
【００１９】
ケーシング１６は、スクロール形状であり、側面には給気口１９を有し、天面には吐出口２０を有している。ケーシング１６は、給気口１９を有する給気口面２１と、モータ１７が固定されたモータ面２２と、スクロール面２３とを備えている。モータ面２２は、筐体２における前面に対向し、給気口面２１は、筐体２における背面に対向している。スクロール面２３は、給気口面２１の周縁から第２方向（筐体２の前後方向）における一方側（図４と図５では、筐体２における前面側）へ延び、給気口面２１とモータ面２２とに挟まれている。
【００２０】
スクロール面２３は、第１方向（筐体２の左右方向）における一方側（図４と図５では、筐体２における前面側から見て左側）に舌部２４を有している。スクロール面２３は、舌部２４から上方に延び吐出口２０に繋がっている面と、舌部２４から羽根車１８の下方を囲むように、第１方向（筐体２の左右方向）における他方側（図４と図５では、筐体２における前面側から見て右側）へ延び、吐出口２０に繋がっている面とを有する。
【００２１】
モータ１７は、ケーシング１６におけるモータ面２２に固定され、モータ１７からケーシング１６内へ水平方向に回転軸２５が延びている。回転軸２５には、羽根車１８が固定されている。モータ１７によって羽根車１８が回転すると、給気口１９から空気が吸い込まれ、吐出口２０から吸い込まれた空気が吹き出す。
【００２２】
送風装置１は、第１の外側風路２６と、第１の内側風路２７と、第２の外側風路２８と、第２の内側風路２９とを備えている。
【００２３】
第１の外側風路２６は、高圧空気発生部５によって、筐体２の吸込口７から吸い込まれた空気が、高圧空気発生部５、第１のノズル３内を順次介して、第１の外側吹出口１１へ送風される風路である（図４参照）。
【００２４】
第１の内側風路２７は、高圧空気発生部５によって、筐体２の吸込口７から吸い込まれた空気が、高圧空気発生部５、第１のノズル３内を順次介して、第１の内側吹出口１２へ送風される風路である（図５参照）。
【００２５】
第２の外側風路２８は、高圧空気発生部５によって、筐体２の吸込口７から吸い込まれた空気が、高圧空気発生部５、第２のノズル４内を順次介して、第２の外側吹出口１４へ送風される風路である（図４参照）。
【００２６】
第２の内側風路２９は、高圧空気発生部５によって、筐体２の吸込口７から吸い込まれた空気が、高圧空気発生部５、第２のノズル４内を順次介して、第２の内側吹出口１５へ送風される風路である（図５参照）。
【００２７】
図６は、送風装置の上部の分解図であり、送風装置の背面側の下方から見た図である。図７は、送風装置の連結部の分解図であり、送風装置の背面側の上方から見た図である。図８は、送風装置の連結部の分解図であり、送風装置の背面側の上方から見た図である。
【００２８】
図６、図７、図８に示すように、切替ダンパー部６は、高圧空気発生部５の吐出口２０からの送風を、第１の外側風路２６と第２の外側風路２８に、または、第１の内側風路２７と第２の内側風路２９に切り替える構造である。
【００２９】
切替ダンパー部６は、第１のダンパー３０と、第１のバネ３１と、第２のダンパー３２と、第２のバネ３３と、ギア部分３４と、操作部分３５とを有している。
【００３０】
第１のダンパー３０は、第１のノズル３内に回動自在に設けられている。第１のダンパー３０は、第１の遮断板３６と、第１の軸３７とを備えている。
【００３１】
第１の遮断板３６は、縦長板形状であり、第１の遮断板３６における短手方向における一方側（図１では、筐体２における前面側）には、第１の遮断板３６における長手方向に延びる円柱形状の第１の軸３７を有している。第１の軸３７は、第１のノズル３内における第１の外側風路２６内および第１の内側風路２７内の第１の軸受け３７Ａに回動自在に支持されている（図４参照）。第１の遮断板３６は、第１の遮断板３６における短手方向における一方側（図１では、筐体２における前面側）を回動中心として、第１の遮断板３６における短手方向における他方側（図１では、筐体２における背面側）が水平方向（図１では、筐体における左右方向）に回動する。
【００３２】
第１のバネ３１は、細長形状の板ばねであり、一方側端部には、筒状に曲げられた第１のバネリング部分３８を有している。第１のバネリング部分３８の軸方向は、第１のバネ３１における短辺方向（第１の軸３７の軸方向）に延びている。第１のバネリング部分３８は、第１の遮断板３６の第１のバネ支持シャフト３９に回動自在に装着されている。
【００３３】
第１のバネ支持シャフト３９は、円柱形状であり、第１の遮断板３６における短手方向における他方側（図１では、筐体２における背面側）に配置されている。第１のバネ支持シャフト３９の軸方向は、上下方向に延びている。第１のバネリング部分３８の内径は、第１のバネ支持シャフト３９の外径より一回り大きい寸法である。
【００３４】
第１のバネ３１の他方側端部は、第１のノズル３内の第１のバネ固定部４０に固定されている。第１のバネ固定部４０は、第１のノズル３内における、第１の遮断板３６の第１の軸３７に対向し、第１の軸３７よりも筐体２における背面側に配置されている。なお、第１の遮断板３６の第１のバネ支持シャフト３９から、第１のノズル３の第１のバネ固定部４０までの距離は、第１のバネ３１の長辺の長さより短いので、第１のバネ３１は、第１の遮断板３６の回動時には、常に撓んだ状態である。
【００３５】
第２のダンパー３２は、第２のノズル４内に回動自在に設けられている。第２のダンパー３２は、第２の遮断板４１と、第２の軸４２とを備えている。
【００３６】
第２の遮断板４１は、縦長板形状であり、第２の遮断板４１における短手方向における一方側（図１では、筐体２における前面側）には、第２の遮断板４１における長手方向に延びる円柱形状の第２の軸４２を有している。第２の軸４２は、第２のノズル４内における第２の外側風路２８内および第２の内側風路２９内の第２の軸受け４２Ａに回動自在に支持されている（図４参照）。第２の遮断板４１は、第２の遮断板４１における短手方向における一方側（図１では、筐体２における前面側）を回動中心として、第２の遮断板４１における短手方向における他方側（図１では、筐体２における背面側）が水平方向（図１では、筐体２における左右方向）に回動する。
【００３７】
第２のバネ３３は、細長形状の板ばねであり、一方側端部には、筒状に曲げられた第２のバネリング部分４３を有している。第２のバネリング部分４３の軸方向は、第２のバネ３３における短辺方向（第２の軸４２の軸方向）に延びている。第２のバネリング部分４３は、第２の遮断板４１の第２のバネ支持シャフト４４に回動自在に装着されている。
【００３８】
第２のバネ支持シャフト４４は、円柱形状であり、第２の遮断板４１における短手方向における他方側（図１では、筐体２における背面側）に配置されている。第２のバネ支持シャフト４４の軸方向は、上下方向に延びている。第２のバネリング部分４３の内径は、第２のバネ支持シャフト４４の外径より一回り大きい寸法である。
【００３９】
第２のバネ３３の他方側端部は、第２のノズル４内の第２のバネ固定部４５に固定されている。第２のバネ固定部４５は、第２のノズル４内における、第２の遮断板４１の第２の軸４２に対向し、第２の軸４２よりも筐体における背面側に配置されている。なお、第２の遮断板４１の第２のバネ支持シャフト４４から、第２のノズル４の第２のバネ固定部４５までの距離は、第２のバネ３３の長辺の長さより短いので、第２のバネ３３は、第２の遮断板４１の回動時には、常に撓んだ状態である。
【００４０】
ギア部分３４は、第１のダンパーギア４６と、第２のダンパーギア４７と、連結ギア４８と、レバーギア４９とを備えている。なお、ギア部分３４は、第１のノズル３の上端部と第２のノズル４の上端部とを連結する連結部８内に配置されている。第１のダンパーギア４６、連結ギア４８、レバーギア４９、第２のダンパーギア４７の順に、筐体２の左右方向における一方側（図１では筐体２における前面側から見て左側、図７と図８では右側）から筐体２の左右方向における他方側（図１では筐体における前面側から見て右側、図７と図８では左側）へ配置されている。
【００４１】
第１のダンパーギア４６は、平歯車であり、第１のダンパー３０の第１の軸３７における上部に固定されている。第１のダンパーギア４６の回転軸は、第１の軸３７と同軸上に配置されている。
【００４２】
第２のダンパーギア４７は、平歯車であり、第２のダンパー３２の第２の軸４２における上部に固定されている。第２のダンパーギア４７の回転軸は、第２の軸４２と同軸上に配置されている。第２のダンパーギア４７は、第１のダンパーギア４６と、歯の数と外径が同じ形状である。
【００４３】
連結ギア４８とレバーギア４９は、平歯車であり、第１のダンパーギア４６と第２のダンパーギア４７との間に回動自在に配置されている。連結ギア４８とレバーギア４９の回動軸の方向は、上下方向である。連結ギア４８とレバーギア４９は、歯の数と外径が同じ形状である。
【００４４】
連結ギア４８は、平歯車であり、第１のダンパーギア４６とレバーギア４９との間に配置され、第１のダンパーギア４６とレバーギア４９とに噛み合う構成である。
【００４５】
レバーギア４９は、歯車部分５０と、円板部分５１と、曲面部分５２とを備えている。
歯車部分５０は、平歯車であり、連結ギア４８と第２のダンパーギア４７との間に配置され、連結ギア４８と第２のダンパーギア４７とに噛み合う構成である。レバーギア４９の上面には、レバーギアより一回り大きい円板形状の円板部分５１と、円板部分５１の周縁から上方に延びた曲面である曲面部分５２とを有している。レバーギア４９と、円板部分５１と、曲面部分５２とは一体に形成している。操作部分３５は、曲面部分５２の外面から延びている。
【００４６】
図９は、送風装置の上部の斜視図であり、送風装置の背面側の上方から見た図である。
【００４７】
操作部分３５は、図８、図９に示すように、レバーギア４９の曲面部分５２から外方へ水平方向に延びた細長板形状のレバー５４である。レバー５４は、筐体２の前後方向における他方側（図１では、筐体における背面側）へ延び、レバー５４の先端部は、第１のノズル３の上端部と第２のノズル４の上端部とを連結する連結部８の背面側に開口した横長四角形状のレバー開口５５から外方に突出している。レバーギア４９の曲面部分５２は、レバー開口５５より一回り大きく、レバー開口５５に対向するように配置されている。
【００４８】
上記の切替ダンパー部６の構成において、操作部分３５であるレバー５４を、第１方向（筐体２の左右方向）における一方側（図１では筐体における前面側から見て左側、図７と図８では右側）へ回動させると、第１の遮断板３６は、第１の遮断板３６における短手方向における他方側（図１では、筐体２における背面側）が、第１方向（筐体２の左右方向）における一方側（図５では左側、図７と図８では右側）に回動する。具体的には、上方から見て、操作部分３５であるレバー５４を反時計回りに回動すると、レバーギア４９と噛み合っている連結ギア４８が、上方から見て、時計回りに回動する。更に、連結ギア４８と噛み合っている第１のダンパーギア４６が、上方から見て、反時計回りに回動し、第１の遮断板３６も上方から見て、反時計回りに回動する。これにより、第１の外側吹出口１１が塞がれ、第１のノズル３内を流れる空気は、第１の内側風路２７へ送風される。
【００４９】
同様に、操作部分３５であるレバー５４を、第１方向（筐体２の左右方向）における一方側（図１では筐体２における前面側から見て左側、図７と図８では右側）へ回動させると、第２の遮断板４１は、第２の遮断板４１における短手方向における他方側（図１では、筐体２における背面側）が、第１方向（筐体２の左右方向）における他方側（図５では右側、図７と図８では左側）に回動する。具体的には、上方から見て、操作部分３５であるレバー５４を反時計回りに回動すると、レバーギア４９と噛み合っている第２のダンパーギア４７が、上方から見て、時計回りに回動し、第２の遮断板４１も上方から見て、時計回りに回動する。これにより、第２の外側吹出口１４が塞がれ、第２のノズル４内を流れる空気は、第２の内側風路２９へ送風される。
【００５０】
一方、操作部分３５であるレバー５４を、第１方向（筐体２の左右方向）における他方側（図１では筐体における前面側から見て右側、図７と図８では左側）へ回動させると、第１の遮断板３６は、第１の遮断板３６における短手方向における他方側（図１では、筐体２における背面側）が、第１方向（筐体２の左右方向）における他方側（図４では右側、図７と図８では左側）に回動する。具体的には、上方から見て、操作部分３５であるレバー５４を時計回りに回動すると、レバーギア４９と噛み合っている連結ギア４８が、上方から見て、反時計回りに回動する。更に、連結ギア４８と噛み合っている第１のダンパーギア４６が、上方から見て、時計回りに回動し、第１の遮断板３６も上方から見て、時計回りに回動する。これにより、第１の内側吹出口１２が塞がれ、第１のノズル３内を流れる空気は、第１の外側風路２６へ送風される。
【００５１】
同様に、操作部分３５であるレバー５４を、第１方向（筐体２の左右方向）における他方側（図１では筐体２における前面側から見て右側、図７と図８では左側）へ回動させると、第２の遮断板４１は、第２の遮断板４１における短手方向における他方側（図１では、筐体２における背面側）が、第１方向（筐体２の左右方向）における一方側（図４では左側、図７と図８では右側）に回動する。具体的には、上方から見て、操作部分３５であるレバー５４を時計回りに回動すると、レバーギア４９と噛み合っている第２のダンパーギア４７が、上方から見て、反時計回りに回動し、第２の遮断板４１も上方から見て、反時計回りに回動する。これにより、第２の内側吹出口１５が塞がれ、第２のノズル４内を流れる空気は、第２の外側風路２８へ送風される。なお、操作部分３５は、モータと、モータを制御する制御板と、制御板に信号を送るスイッチとで構成しても良い。スイッチの操作によって、制御板に信号が送られ、その信号に応じて制御部がモータを回動させ、このモータの回動によってレバーギア４９を回動させても良い。
【００５２】
上記のように、送風装置１は、切替ダンパー部６によって、第１の外側吹出口１１と第２の外側吹出口１４とから送風される場合と、第１の内側吹出口１２と第２の内側吹出口１５とから送風される場合とがある。
【００５３】
上記構成において、送風装置１の動作について説明する。送風装置１は、切替ダンパー部６によって、２種類の送風を行うことが可能である。
【００５４】
まず、図４に示すように、送風装置１は、切替ダンパー部６によって、高圧空気発生部５の吐出口２０からの送風を、第１の外側風路２６と第２の外側風路２８に切り替えた場合には、第１の外側吹出口１１と第２の外側吹出口１４とから送風される。具体的には、高圧空気発生部５であるシロッコファンの羽根車１８がモータ１７によって回転することによって、筐体２外の空気が、筐体２の吸込口７から筐体２内に吸い込まれ、高圧空気発生部５であるケーシング１６の給気口１９からケーシング１６内に入り、ケーシング１６の吐出口２０を介して、第１のノズル３内の第１の外側風路２６と、第２のノズル４内の第２の外側風路２８とに送風される。高圧空気発生部５によって、第１の外側風路２６に送風された空気は、第１の外側吹出口１１から吹き出し、高圧空気発生部５によって、第２の外側風路２８に送風された空気は、第２の外側吹出口１４から吹き出す。第１の外側吹出口１１と第２の外側吹出口１４から空気が吹き出すことによって、貫通路９と、第１のノズル３の外側と、第２のノズル４の外側とから空気が誘引され、第１の外側吹出口１１と第２の外側吹出口１４から吹き出す空気と共に送風される。
【００５５】
一方、図５に示すように、送風装置１は、切替ダンパー部６によって、高圧空気発生部５の吐出口２０からの送風を、第１の内側風路２７と第２の内側風路２９に切り替えた場合には、第１の内側吹出口１２と第２の内側吹出口１５とから送風される。具体的には、高圧空気発生部５であるシロッコファンの羽根車１８がモータ１７によって回転することによって、筐体２外の空気が、筐体２の吸込口７から筐体２内に吸い込まれ、高圧空気発生部５であるケーシング１６の給気口１９からケーシング１６内に入り、ケーシング１６の吐出口２０を介して、第１のノズル３内の第１の内側風路２７と、第２のノズル４内の第２の内側風路２９とに送風される。高圧空気発生部５によって、第１の内側風路２７に送風された空気は、第１の内側吹出口１２から吹き出し、高圧空気発生部５によって、第２の内側風路２９に送風された空気は、第２の内側吹出口１５から吹き出す。第１の内側吹出口１２と第２の内側吹出口１５から空気が吹き出すことによって、貫通路９と、第１のノズル３の外側と、第２のノズル４の外側とから空気が誘引され、第１の内側吹出口１２と第２の内側吹出口１５から吹き出す空気と共に送風される。
【００５６】
本実施形態における特徴は、図１、図４、図５に示すように、第１の内側吹出口１２の開口面積は、第１の外側吹出口１１の開口面積より小さく、第２の内側吹出口１５の開口面積は、第２の外側吹出口１４の開口面積より小さく、高圧空気発生部５によって第１の外側風路２６と第２の外側風路２８に送風される場合と、高圧空気発生部５によって第１の内側風路２７と第２の内側風路２９に送風される場合とに切り替える切替ダンパー部６を有する点である。
【００５７】
これにより、高圧空気発生部５によって第１の外側風路２６と第２の外側風路２８に送風される場合には、第１のノズル３の外側と、第２のノズル４の外側とから誘引される空気が増え、送風面積が小さく風速が大きい送風となる。また、高圧空気発生部５によって第１の内側風路２７と第２の内側風路２９に送風される場合には、貫通路９から誘引される空気が増え、風速が大きく送風面積が小さい送風となる。結果として、送風面積が小さく風速が大きい送風と、風速が大きく送風面積が小さい送風との２種類の送風に切り替えることができる。
【００５８】
図１０は、送風装置の上部の断面図であり、送風装置の背面側の下方から見た図である。図１１は、送風装置の上部の断面図であり、送風装置の背面側の下方から見た図である。
【００５９】
また、図１０、図１１に示すように、切替ダンパー部６である第１のダンパー３０は、第１のノズル３内の空間を区切り、第１の外側吹出口１１または第１の内側吹出口１２へ空気を案内する風路の一部となる構成である。同様に、切替ダンパー部で６ある第２のダンパー３２は、第２のノズル４内の空間を区切り、第２の外側吹出口１４または第２の内側吹出口１５へ空気を案内する風路の一部となる構成である。
【００６０】
このように、切替ダンパー部６を切り替えて、空気が吹き出る位置を変更することができる。更に、第１のダンパー３０は、第１のノズル３内の空間を区切り、第１の外側吹出口１１または第１の内側吹出口１２へ空気を案内する風路の一部となるので、第１のノズル３内の空気が第１の外側吹出口１１または第１の内側吹出口１２へ流れ易くなる。同様に、第２のダンパー３２は、第２のノズル４内の空間を区切り、第２の外側吹出口１４または第２の内側吹出口１５へ空気を案内する風路の一部となるので、第２のノズル４内の空気が第２の外側吹出口１４または第２の内側吹出口１５へ流れ易くなる。
【００６１】
また、第１のノズル３内における第１の外側風路２６内および第１の内側風路２７内に第１のバネ３１を設け、第２のノズル４内における第２の外側風路２８内および第２の内側風路２９内に第２のバネ３３を設ける。第１のバネ３１は、第１のダンパー３０を第１のノズル３の内面に押し付け、第２のバネ３３は、第２のダンパー３２を第２のノズル４の内面に押し付ける。
【００６２】
このように、第１のノズル３内への送風によって第１のノズル３内の静圧が上がり、この静圧によって第１のダンパー３０を第１のノズル３の内面に押し付ける方向は、第１のバネ３１が、第１のダンパー３０を第１のノズル３の内面に押し付ける方向と同じなので、風漏れを防ぎ、効率よく空気を出したい吹出口から出すことができる。同様に、第２のノズル４内への送風によって第２のノズル４内の静圧が上がり、この静圧によって第２のダンパー３２を第２のノズル４の内面に押し付ける方向は、第２のバネ３３が、第２のダンパー３２を第２のノズル４の内面に押し付ける方向と同じなので、風漏れを防ぎ、効率よく空気を出したい吹出口から出すことができる。
【００６３】
また、第１のバネ３１と第２のバネ３３とは、板ばねである。第１のバネ３１が、第１のダンパー３０を第１のノズル３の内面に押し付ける場合に、第１のバネ３１が、撓んだ状態となる。同様に、第２のバネ３３が、第２のダンパー３２を第２のノズル４の内面に押し付ける場合に、第２のバネ３３が、撓んだ状態となる。
【００６４】
このように、第１のダンパー３０および第２のダンパー３２の切り替え時、常に延びようとする力が、第１のダンパー３０と第２のダンパー３２に働くため、途中で止まることなく、確実に第１の外側風路２６と第２の外側風路２８、または、第１の内側風路２７と第２の内側風路２９とを塞ぐため、使い勝手が良くなる。
【００６５】
第１のバネ３１は、細長い平板形状の平板部分である第１の平板部分３１Ａを有し、第２のバネ３３は、細長い平板形状の平板部分である第２の平板部分３３Ａを有している。第１の平板部分３１Ａおよび第２の平板部分３３Ａの面は、上下方向に延びる。これにより、第１のバネの第１の平板部分３１Ａと第２のバネの第２の平板部分３３Ａとは、第１のノズル３内または第２のノズル４内の空気の流れる方向と平行になり、送風抵抗を低減できる。
【００６６】
また、第１のノズル３内における第１の外側吹出口１１には、第１の外側吹出口１１へ空気を案内する第１の垂直面６１と、第１の外側曲面６２と備えている。
【００６７】
第１の垂直面６１は、縦長四角形状である第１の外側吹出口１１における第１方向（筐体２の左右方向）の一方側（図１では筐体における前面側から見て左側、図１０では右側）の長辺である開口縁から第１のノズル３内へ延びた縦長四角形の平板である。
【００６８】
第１の外側曲面６２は、縦長四角形状である第１の外側吹出口１１における第１方向（筐体２の左右方向）の他方側（図１では筐体における前面側から見て右側、図１０では左側）の長辺である開口縁から第１のノズル３内へ延びた縦長四角形状の曲面板である。第１の外側曲面６２は、第１のノズル３内における第１の外側吹出口１１と第１の内側吹出口１２との間に配置されている。第１の外側曲面６２は、水平断面の形状が、第１の垂直面側へ凸形状の曲面である。
【００６９】
高圧空気発生部５によって第１の外側風路２６に送風される場合には、第１のダンパー３０の第１の遮断板３６は回動し、第１のノズル３の内面と第１の外側曲面６２とを繋ぐように配置される。第１のノズル３の内面と、第１のダンパー３０の第１の遮断板３６における空気が流れる面とが成す角度は、鈍角である。これにより、第１のノズル３内を流れる空気は、第１のノズル３の内面から第１のダンパー３０の第１の遮断板３６に沿って流れるので、第１の外側吹出口１１方向へ流れ易くなる。
【００７０】
同様に、第２のノズル４内における第２の外側吹出口１４には、第２の外側吹出口１４へ空気を案内する第２の垂直面６３と、第２の外側曲面６４と備えている。
【００７１】
第２の垂直面６３は、縦長四角形状である第２の外側吹出口１４における第１方向（筐体２の左右方向）の他方側（図１では筐体２における前面側から見て右側、図１０では左側）の長辺である開口縁から第２のノズル４内へ延びた縦長四角形の平板である。
【００７２】
第２の外側曲面６４は、縦長四角形状である第２の外側吹出口１４における第１方向（筐体２の左右方向）の一方側（図１では筐体２における前面側から見て左側、図１０では右側）の長辺である開口縁から第１のノズル内へ延びた縦長四角形状の曲面板である。第２の外側曲面６４は、第２のノズル４内における第２の外側吹出口１４と第２の内側吹出口１５との間に配置されている。第２の外側曲面６４は、水平断面の形状が、第２の垂直面６３側へ凸形状の曲面である。
【００７３】
高圧空気発生部５によって第１の外側風路２６に送風される場合には、第２のダンパー３２の第２の遮断板４１は回動し、第２のノズル４の内面と第２の外側曲面６４とを繋ぐように配置される。第２のノズル４の内面と、第２のダンパー３２の第２の遮断板４１における空気が流れる面とが成す角度は、鈍角である。これにより、第２のノズル４内を流れる空気は、第２のノズル４の内面から第２のダンパー３２の第２の遮断板４１に沿って流れので、第２の外側吹出口１４方向へ流れ易くなる。
【００７４】
また、第１のノズル３内における第１の外側吹出口１１と第１の内側吹出口１２との間には、第１の突起部６５を備えている。第１の突起部６５は、上下方向に長く、第１のノズル３における筐体２の前後方向における一方側（図１では、筐体２における前面側）から第１のノズル３内に突出する凸形状である。
【００７５】
高圧空気発生部５によって第１の外側風路に送風される場合と、高圧空気発生部５によって第１の内側風路２７に送風される場合に、第１のダンパー３０の第１の軸３７には、第１の軸３７と第１の突起部６５との隙間を小さくする第１の補助遮断板６６を備えている。第１の補助遮断板６６は、第１の軸３７の軸方向が、長辺である略細長平板形状である。第１の補助遮断板６６は、第１のダンパー３０と交差するように設けられている。一例として、第１の補助遮断板６６の短辺と第１のダンパー３０の短辺とが成す角度は、直角である。
【００７６】
具体的には、高圧空気発生部５によって第１の外側風路２６に送風される場合には、第１の補助遮断板６６の第１方向（筐体２の左右方向）における他方側（図１では筐体２における前面側から見て右側、図１０では左側）の長辺が、第１の突起部６５に近づき、第１の補助遮断板６６は第１の突起部６５との隙間を小さくする。同様に、高圧空気発生部５によって第１の内側風路２７に送風される場合には、第１の補助遮断板６６の第１方向（筐体２の左右方向）における一方側（図１では筐体２における前面側から見て左側、図１１では右側）の長辺が、第１の突起部６５に近づき、第１の補助遮断板６６は第１の突起部６５との隙間を小さくする。これにより、風漏れを抑制し、効率よく風を出したい吹出口から出すことができる。
【００７７】
また、第２のノズル４内における第２の外側吹出口１４と第２の内側吹出口１５との間には、第２の突起部６７を備えている。第２の突起部６７は、上下方向に長く、第２のノズル４における第２方向（筐体２の前後方向）における一方側（図１では筐体２における前面側）から第２のノズル４内に突出する凸形状である。
【００７８】
高圧空気発生部５によって第２の外側風路２８に送風される場合と、高圧空気発生部５によって第２の内側風路２９に送風される場合に、第２のダンパー３２の第２の軸４２には、第２の軸４２と第２の突起部６７との隙間を小さくする第２の補助遮断板６８を備えている。第２の補助遮断板６８は、第２の軸４２の軸方向が、長辺である略細長平板形状である。第２の補助遮断板６８は、第２のダンパー３２と交差するように設けられている。一例として、第２の補助遮断板６８の短辺と第２のダンパー３２の短辺とが成す角度は、直角である。
【００７９】
具体的には、高圧空気発生部５によって第２の外側風路２８に送風される場合には、第２の補助遮断板６８の第１方向（筐体２の左右方向）における一方側（図１では筐体２における前面側から見て左側、図１０では右側）の長辺が、第２の突起部６７に近づき、第２の補助遮断板６８は第２の突起部６７との隙間を小さくする。同様に、高圧空気発生部５によって第２の内側風路２９に送風される場合には、第２の補助遮断板６８の第１方向（筐体２の左右方向）における他方側（図１では筐体２における前面側から見て右側、図１１では左側）の長辺が、第２の突起部６７に近づき、第２の補助遮断板６８は第２の突起部６７との隙間を小さくする。これにより、風漏れを抑制し、効率よく風を出したい吹出口から出すことができる。
【００８０】
また、図１に示すように、第１の外側吹出口１１と第２の外側吹出口１４と第１の内側吹出口１２と第２の内側吹出口１５とは、上下方向に長い細長い形状である。第１の外側吹出口１１と第２の外側吹出口１４の上下方向の長さは、第１の内側吹出口１２と第２の内側吹出口１５の上下方向の長さより長く、第１の外側吹出口１１と第２の外側吹出口１４の左右方向の長さは、第１の内側吹出口１２と第２の内側吹出口１５の左右方向の長さより短い構成である。
【００８１】
これにより、第１の内側吹出口１２と第２の内側吹出口１５からは、第１の外側吹出口１１と第２の外側吹出口１４に比べ、風速が大きく、上下方向の寸法が短い空気が送風されるので、第１の外側吹出口１１と第２の外側吹出口１４に比べ、送風面積は小さいが送風距離の長い送風ができる。また、第１の外側吹出口１１と第２の外側吹出口１４からは、第１の内側吹出口１２と第２の内側吹出口１５に比べ、風速が小さく、上下方向の寸法が長い空気が、送風されるので、第１の内側吹出口１２と第２の内側吹出口１５に比べ、送風距離は短いが送風面積の大きい送風ができる。
【００８２】
また、第１の内側吹出口１２と第２の内側吹出口１５の下端は、第１の外側吹出口１１と第２の外側吹出口１４の下端より上方に配置された。これにより、第１の内側吹出口１２と第２の内側吹出口１５から吹き出す空気の送風距離が、更に長くなる。
【００８３】
また、図４、図５に示すように、第１のノズル３と第２のノズル４の上部において、第１の風路７０と第２の風路７１とを連通する連通路６９を設けている。具体的には、第１のノズル３の上端部と、第２のノズル４の上端部は、連結部８によって、連結され、この連結部８内に第１の風路７０と第２の風路７１とを連通する連通路６９を有している。これにより、第１のノズル３と第２のノズル４の上部の連通路６９でつながっているため、双方のノズル内の内圧が均一化される。なお、第１の風路７０とは、第１の外側風路２６と第１の内側風路２７とであり、第２の風路７１とは、第２の外側風路２８と第２の内側風路２９である。
【００８４】
送風方向に垂直な面における連通路６９の面積は、送風方向に垂直な面における第１のノズル３における第１の風路７０の面積、および第２のノズル４における第２の風路７１の面積より小さい。
【００８５】
これにより、連通路６９内の空気流の乱れが抑制され、より双方のノズル内の内圧が均一化されると考えられる。
【産業上の利用可能性】
【００８６】
本発明に係る送風装置は、家庭用や事務所用などに使用される送風装置等として有用である。
【符号の説明】
【００８７】
１    送風装置
２    筐体
３    第１のノズル
４    第２のノズル
５    高圧空気発生部
６    切替ダンパー部
７    吸込口
８    連結部
９    貫通路
１０    第１の吹出口
１１    第１の外側吹出口
１２    第１の内側吹出口
１３    第２の吹出口
１４    第２の外側吹出口
１５    第２の内側吹出口
１６    ケーシング
１７    モータ
１８    羽根車
１９    給気口
２０    吐出口
２１    給気口面
２２    モータ面
２３    スクロール面
２４    舌部
２５    回転軸
２６    第１の外側風路
２７    第１の内側風路
２８    第２の外側風路
２９    第２の内側風路
３０    第１のダンパー
３１    第１のバネ
３１Ａ    第１の平板部分
３２    第２のダンパー
３３    第２のバネ
３３Ａ    第２の平板部分
３４    ギア部分
３５    操作部分
３６    第１の遮断板
３７    第１の軸
３７Ａ    第１の軸受け
３８    第１のバネリング部分
３９    第１のバネ支持シャフト
４０    第１のバネ固定部
４１    第２の遮断板
４２    第２の軸
４２Ａ    第２の軸受け
４３    第２のバネリング部分
４４    第２のバネ支持シャフト
４５    第２のバネ固定部
４６    第１のダンパーギア
４７    第２のダンパーギア
４８    連結ギア
４９    レバーギア
５０    歯車部分
５１    円板部分
５２    曲面部分
５４    レバー
５５    レバー開口
６１    第１の垂直面
６２    第１の外側曲面
６３    第２の垂直面
６４    第２の外側曲面
６５    第１の突起部
６６    第１の補助遮断板
６７    第２の突起部
６８    第２の補助遮断板
６９    連通路
７０    第１の風路
７１    第２の風路
【図１】
2020045830.tif 000003
【図２】
2020045830.tif 000004
【図３】
2020045830.tif 000005
【図４】
2020045830.tif 000006
【図５】
2020045830.tif 000007
【図６】
2020045830.tif 000008
【図７】
2020045830.tif 000009
【図８】
2020045830.tif 000010
【図９】
2020045830.tif 000011
【図１０】
2020045830.tif 000012
【図１１】
2020045830.tif 000013